(57)【要約】【課題】  本発明は、光学ピックアップのレンズから照射するレーザ光のスポット位置がオーバーライトヘッドに取り付けられた磁気コアの中心に一致する適正な位置にオーバーライトヘッドを取り付けられかつ保持し得る光磁気記録ヘッドユニットを実現する。【解決手段】  光学ピックアップ２１に取り付けたジョイント２２に対して、磁気ヘッド部２４が予め取り付けられたオーバーライトヘッド２３を、当該光学ピックアップ２１のレンズ２１Ｌから照射したレーザ光のスポット位置が当該磁気ヘッド部２４の磁気コア２４Ａの中心に一致する適正位置に位置決めし、当該オーバーライトヘッド２３及び当該ジョイント２２を垂直方向に挟んだ電極５１と電極５２及び５３との間に電流を流して電気抵抗溶接を行い、当該オーバーライトヘッド２３を適正位置に保持したまま当該ジョイント２２に固着させる。【選択図】        図９
2006018896.tif 000002
【特許請求の範囲】
【請求項１】
光学ピックアップとオーバーライトヘッドとが一体化された光磁気記録ヘッドユニットであって、
レーザ光を照射する上記光学ピックアップと磁気コアを有する上記オーバーライトヘッドとを具え、
上記光学ピックアップと上記オーバーライトヘッドとは、上記レーザ光のスポット位置と上記磁気コアの中心とを一致させるように位置決めされた状態で、上記光学ピックアップと上記オーバーライトヘッドとの接合面に対する垂直方向からの固着力を介して固着されている
ことを特徴とする光磁気記録ヘッドユニット。
【請求項２】
上記光学ピックアップと上記オーバーライトヘッドとは、溶接によって固着されている
ことを特徴とする請求項１に記載の光磁気記録ヘッドユニット。
【請求項３】
上記溶接は電気抵抗溶接である
ことを特徴とする請求項２に記載の光磁気記録ヘッドユニット。
【請求項４】
上記光学ピックアップと上記オーバーライトヘッドとは、接着剤によって固着されている
ことを特徴とする請求項１に記載の光磁気記録ヘッドユニット。
【請求項５】
磁気コアを有するオーバーライトヘッドと光学ピックアップとを一体化した光磁気記録ヘッドユニット組立方法であって、
上記光学ピックアップから照射されるレーザ光のスポット位置と上記オーバーライトヘッドの磁気コアの中心とを一致させるように、上記光学ピックアップに対する上記オーバーライトヘッドの位置を決定する位置決めステップと、
上記光学ピックアップと上記オーバーライトヘッドとの接合面に対する垂直方向からの固着力を介して上記光学ピックアップと上記オーバーライトヘッドとを固着させる固着ステップと
を具えることを特徴とする光磁気記録ヘッドユニット組立方法。
【発明の詳細な説明】
【技術分野】
【０００１】
本発明は光磁気記録ヘッドユニットに関し、例えばミニディスク等の光磁気ディスクにデータを記録し得る光磁気ディスク装置の光磁気記録ヘッドユニットに適用して好適なものである。
【背景技術】
【０００２】
従来、光磁気ディスク装置においては、例えばミニディスク等の光磁気ディスクを記録媒体として楽曲データを記録し、又は当該光磁気ディスクに記録されている楽曲データを再生するようになされたものがある。
【０００３】
光磁気ディスク装置のなかには、磁界変調オーバーライト方式と呼ばれる記録方式を採用したものがあり、光磁気ディスク上の所望の記録トラックを記録面側からレーザ光で加熱しながら、磁気ヘッド部を当該記録面の反対面に近接させ、磁界変調によって楽曲データ等を記録するようになされている。
【０００４】
このような光磁気ディスク装置は、例えば図１０に示すような、光磁気ディスク（図示せず）にレーザ光を照射する光学ピックアップ２１と磁気ヘッド部２４を有するオーバーライトヘッド２３とを、ジョイント２２を介して光磁気ディスクを両面から挟むように対向させ一体化した光磁気記録ヘッドユニット７０を用いるようになされたものがある（例えば、文献１参照）。
【０００５】
光磁気ディスク装置は、光磁気ディスクの所望の記録トラックに楽曲データを記録する際に、光学ピックアップ２１のレンズ２１Ｌから照射するレーザ光のスポット位置を常に磁気ヘッド部２４の磁気コア２４Ａの中心に一致させた状態で、光磁気記録ヘッドユニット７０を一体として当該光磁気ディスクの半径方向に移動させることにより、光磁気ディスクの記録面に楽曲データを順次記録し得るようになされている。
【特許文献１】特開平９−１２８８３４号公報（第５頁〜第６頁、第５図）
【発明の開示】
【発明が解決しようとする課題】
【０００６】
ところでかかる構成の光磁気記録ヘッドユニット７０は、その組み立て段階において、光学ピックアップ２１に予めジョイント２２が取付固定され、当該光学ピックアップ２１のレンズ２１Ｌから照射するレーザ光のスポット位置が磁気コア２４Ａの中心に一致する適正位置にオーバーライトヘッド２３が位置決めされた状態で、当該オーバーライトヘッド２３と当該ジョイント２２とが取付ねじ７１によってねじ止めされるようになされている。
【０００７】
しかし光磁気記録ヘッドユニット７０は、その組み立ての際、取付ねじ７１を締め付ける際の回転方向のトルクによって、図１０に破線で示すようにオーバーライトヘッド２３がねじ穴２３Ｈを中心に回転してしまう可能性があり、このときレンズ２１Ｌに対する磁気コア２４Ａの位置がずれてしまうという問題があった。
【０００８】
また光磁気記録ヘッドユニット７０は、オーバーライトヘッド２３が適正位置に取り付けられていたとしても、回転方向のトルクによって当該オーバーライトヘッド２３がジョイント２２に取り付けられているので、落下等の衝撃により取付ねじ７１が緩み、レンズ２１Ｌから照射したレーザ光のスポット位置に対する当該磁気コア２４Ａの中心位置がずれてしまうという問題があった。
【０００９】
本発明は以上の点を考慮してなされたもので、光学ピックアップのレンズから照射するレーザ光のスポット位置がオーバーライトヘッドに取り付けられた磁気コアの中心に一致する適正な位置にオーバーライトヘッドを取り付けられかつ保持し得る光磁気記録ヘッドユニットを提案しようとするものである。
【課題を解決するための手段】
【００１０】
かかる課題を解決するため本発明の光磁気記録ヘッドユニットにおいては、光学ピックアップとオーバーライトヘッドとが一体化された光磁気記録ヘッドユニットであって、レーザ光を照射する光学ピックアップと磁気コアを有するオーバーライトヘッドとを具え、光学ピックアップとオーバーライトヘッドとは、レーザ光のスポット位置と磁気コアの中心とを一致させるように位置決めされた状態で、光学ピックアップとオーバーライトヘッドとの接合面に対する垂直方向からの固着力を介して固着されているようにした。
【００１１】
これにより、光学ピックアップとオーバーライトヘッドとを位置決めされたままの状態で固着させることができ、当該光学ピックアップに対する当該オーバーライトヘッドの位置ずれを確実に防止することができる。
【００１２】
また本発明の光磁気記録ヘッドユニット組立方法においては、磁気コアを有するオーバーライトヘッドと光学ピックアップとを一体化した光磁気記録ヘッドユニット組立方法であって、光学ピックアップから照射されるレーザ光のスポット位置とオーバーライトヘッドの磁気コアの中心とを一致させるように、光学ピックアップに対するオーバーライトヘッドの位置を決定する位置決めステップと、光学ピックアップとオーバーライトヘッドとの接合面に対する垂直方向からの固着力を介して光学ピックアップとオーバーライトヘッドとを固着させる固着ステップとを設けるようにした。
【００１３】
これにより、光学ピックアップとオーバーライトヘッドとを位置決めされたままの状態で固着させることができ、当該光学ピックアップに対する当該オーバーライトヘッドの位置ずれを確実に防止することができる。
【発明の効果】
【００１４】
本発明によれば、光学ピックアップとオーバーライトヘッドとを位置決めされたままの状態で固着させ、当該光学ピックアップに対する当該オーバーライトヘッドの位置ずれを確実に防止することができ、かくして光学ピックアップのレンズから照射するレーザ光のスポット位置がオーバーライトヘッドに取り付けられた磁気コアの中心に一致する適正な位置にオーバーライトヘッドを取り付けられかつ保持し得る光磁気記録ヘッドユニットを実現できる。
【発明を実施するための最良の形態】
【００１５】
以下、図面について、本発明の一実施の形態を詳述する。
【００１６】
（１）光磁気ディスク装置の構成
図１及び図２において、１は全体として本発明の光磁気記録ヘッドユニットを搭載した光磁気ディスク装置を示し、記録媒体としての直径６４ｍｍの光磁気ディスク１０４（図２）を回転可能に収納したミニディスク方式のディスクカートリッジ１００を装填対象とし、当該ディスクカートリッジ１００の光磁気ディスク１０４に対して楽曲データを記録したり、当該光磁気ディスク１０４から楽曲データを再生するようになされている。
【００１７】
この光磁気ディスク装置１は、本体ケース２と、当該本体ケース２の後端部を支点として回動自在に支持されたカバー体３とによって構成され、ディスクカートリッジ１００の挿入時又は排出時にはカバー体３を本体ケース２から所定角度まで解放し、楽曲データの記録時又は再生時には本体ケース２をカバー体３によって閉塞するようになされている。
【００１８】
本体ケース２は、カバー体３を閉塞位置から所定角度の解放位置まで回動させるためのオープンスライダ４、ヘッドフォンジャック５及び各種機器を接続するためのコネクタ６がその周側面に設けられている。なお本体ケース２は、図示しないが再生動作、記録動作、音量調整等の各種操作ボタンについても、他の周側面に設けられている。
【００１９】
カバー体３には、その表面に記録時間や再生時間あるいはバッテリ残量を表示したり、記録、再生、停止等の各種状態を表したアイコン等を表示する液晶ディスプレイでなる表示部７が設けられている。
【００２０】
なお光磁気ディスク装置１においては、ディスクカートリッジ１００をホルダ８に挿入する方向を後方向とし、ディスクカートリッジ１００をホルダ８から排出する方向を前方向と定義すると共に、ディスクカートリッジ１００を挿入するホルダ８の挿入口にユーザが対峙した状態において右方向及び左方向を定義した上で以下説明する。
【００２１】
この光磁気ディスク装置１（図２）には、本体ケース２の内部にメカデッキシャーシ１０が配置されており、当該メカデッキシャーシ１０の後端部を支点としてホルダ８が回動自在に支持されている。ホルダ８は、本体ケース２に対してカバー体３が回動する際に連動して開閉動作し、ディスクカートリッジ１００の光磁気ディスク１０４をメカデッキシャーシ１０のディスクテーブル（図示せず）に装着する装着位置と、ディスクカートリッジ１００をホルダ８に挿入又はホルダ８から排出する際の挿脱位置との間を移動するようになされている。
【００２２】
ここでディスクカートリッジ１００は、矩形状の扁平な箱状を有するケース体１０３内に光磁気ディスク１０４が回転可能に収納されて構成され、当該ケース体１０３の上面の中央部及び下面の中央部にそれぞれ設けられた透過孔（図示せず）を開閉するシャッタ１０５がスライド自在に取り付けられている。
【００２３】
またディスクカートリッジ１００は、シャッタ１０５の側面部に係合穴１０５Ａが形成されており、光磁気ディスク装置１に挿入される際に係合穴１０５Ａを介してシャッタ１０５がスライドし、当該ケース体１０３の上下面の中央部にそれぞれ設けられた透過孔を開孔するようになされている。
【００２４】
（２）メカデッキの構成
次に図３及び図４に示すように、光磁気ディスク装置１に搭載されるメカデッキ１２としては、ホルダ８及びメカデッキシャーシ１０によって構成されており、まずホルダ８及びメカデッキシャーシ１０について説明する。
【００２５】
ホルダ８は金属製の板状材料が所定形状に折り曲げられることにより形成されており、天板部８Ａの左右両側縁からそれぞれ下方に側面部８Ｂ及び８Ｃが垂設され、さらに当該側面部８Ｂ及び８Ｃの下端からそれぞれ互いに近づく方向へ向けて受板部８Ｄ及び８Ｅが突出して設けられて、前端の開口部が挿入口８Ｓ（図２）として形成されている。
【００２６】
ホルダ８の天板部８Ａには、磁気ヘッド部２４を光磁気ディスク１０４（図２）の上面に近接させる（詳しくは後述する）ための孔８Ａ１が設けられており、さらに矩形平板状のスライド板１３（図３）が当該孔８Ａ１の一部を塞ぐように、当該孔８Ａ１を前後方向に移動可能に設けられている。
【００２７】
ホルダ８の側面部８Ｂには、ディスクカートリッジ１００（図２）のシャッタ１０５の係合穴１０５Ａに係合するシャッタ係合部８Ｂ１が設けられており、ディスクカートリッジ１００がホルダ８に挿入される際に当該係合穴１０５Ａに係合し、当該シャッタ１０５をスライドしてケース体１０３の透過孔を開孔させることにより、光学ピックアップ２１（詳しくは後述する）からのレーザ光を光磁気ディスク１０４の下面に照射すると共に、磁気ヘッド部２４を光磁気ディスク１０４の上面に近接させ、またディスクカートリッジ１００がホルダ８から排出される際に当該係合穴１０５Ａに係合し、当該シャッタ１０５をスライドしてケース体１０３の透過孔を閉孔させるようになされている。
【００２８】
メカデッキシャーシ１０（図４）は、樹脂材料が所定形状に成型されてなり、回動軸１０Ａ及び１０Ｂ（図３）によってホルダ８を回動自在に軸支すると共に、後述する光学ピックアップを移動させるためのピックアップ移動孔１０Ｃ（図４）が設けられ、当該ピックアップ移動孔１０Ｃの前側の一辺には光学ピックアップ２１を左右方向に移動させるためのガイドレール１０Ｄが形成されている。
【００２９】
またメカデッキシャーシ１０は、モータギヤ１４Ａが取り付けられた駆動モータ１４、中間ギヤ１５、はすば歯車１６、及びねじ軸ギヤ１７Ａが一端に取り付けられた回転ねじ軸１７が組み込まれており、所定の制御手段により駆動モータ１４が回転駆動されると、当該モータギヤ１４Ａ、中間ギヤ１５、はすば歯車１６、及びねじ軸ギヤ１７Ａを順次介して、送りねじ軸１７へ駆動力を伝達する。
【００３０】
送りねじ軸１７は、メカデッキシャーシ１０のガイドレール１０Ｄと平行に組み込まれ、一端に取り付けられたねじ軸ギヤ１７Ａと一体となって回転するようになされている。
【００３１】
またメカデッキ１２には、光磁気記録ヘッドユニット２０の一部を構成する光学ピックアップ２１が組み込まれている。光学ピックアップ２１は、左右方向に貫通した孔２１Aを有しており、当該孔２１Aに送りねじ軸１７が挿通された状態でメカデッキシャーシ１０に組み込まれるようになされている。また光学ピックアップ２１は、板ばねの付勢力によって送りねじ軸１７に付勢されるラックばね２１Ｄが取り付けられているため、当該送りねじ軸１７が回転駆動されることにより左方向又は右方向に駆動され、このとき当該光学ピックアップ２１の前側面に設けられた側面略コ字状のガイド溝部２１Ｂを介してメカデッキシャーシ１０のガイドレール１０Ｄと平行に移動するようになされている。
【００３２】
次に、光磁気記録ヘッドユニット２０について説明する。図３及び図４に示したように、光磁気記録ヘッドユニット２０はメカデッキ１２に組み込まれるようになされており、当該光磁気記録ヘッドユニット２０は、図５に示すように、光学ピックアップ２１、ジョイント２２、オーバーライトヘッド２３及び磁気ヘッド部２４によって構成されている。
【００３３】
光学ピックアップ２１は、図示しない光学部品等を内部に有すると共にレンズ２１Ｌを上面に有し、当該レンズ２１Ｌを介してディスクカートリッジ１００（図２）の光磁気ディスク１０４に対してレーザ光を照射するようになされている。
【００３４】
また光学ピックアップ２１の後側には、上述した孔２１Ａが穿設されると共に、後述するジョイント２２を取り付けるための取付ねじ孔２１Ｃが穿設されている。
【００３５】
ジョイント２２は、金属製の板状材料が所定形状に折り曲げられることにより形成されており、底板部２２Ａの後側縁から上方に側面部２２Ｂが垂設され、さらに当該側面部２２Ｂの上端から前方向へ向けて取付部２２Ｃが設けられている。また取付部２２Ｃの左右中央位置には、後述するオーバーライトヘッド２３との位置合わせに用いる位置合わせ孔２２Ｃ３が設けられている。
【００３６】
また光学ピックアップ２１とジョイント２２とは、底板部２２Ａのねじ孔２２Ａ１及び光学ピックアップ２１の取付ねじ孔２１Ｃを介して固定ねじ２５によって互いに取付固定されており、さらに図示しない位置合わせ突起や位置合わせ穴等を互いに嵌合させることにより位置ずれを防止するようになされている。
【００３７】
オーバーライトヘッド２３は、当該オーバーライトヘッド２３をジョイント２２に取付固定するためのベース部２３Ａと、上面略Ｈ字状の矩形平板でなるアーム部２３Ｂとが接続部２３Ｃによって接続されている。
【００３８】
オーバーライトヘッド２３のベース部２３Ａは、金属製の略矩形平板でなり、当該ベース部２３Ａがジョイント２２の取付部２２Ｃに取り付けられる際の、位置合わせの目安となる位置合わせ孔２３Ａ３が左右中央位置に穿設されている。
【００３９】
ちなみにオーバーライトヘッド２３は、接続部２３Ｃにおいて、図示しない板ばねを介してベース部２３Ａとアーム部２３Ｂとが接続されており、メカデッキシャーシ１０の回動軸１０Ａ及び１０Ｂ（図３）を中心としてホルダ８が回動される際に、当該板ばねの弾性力によって、当該アーム部２３Ｂが当該ホルダ８と連動して上下方向に動くようになされている。
【００４０】
またオーバーライトヘッド２３のアーム部２３Ｂの前端部下面には、図示しない弾性部材を介して磁気ヘッド部２４が取り付けられており、当該弾性部材の弾性力によって、当該磁気ヘッド部２４が常時下方向へ付勢されるようになされている。また磁気ヘッド部２４の下面には磁気コア２４Ａが取り付けられている。
【００４１】
実際上メカデッキ１２は、図３に示したように光磁気記録ヘッドユニット２０を組み込んだ状態において、スライド板１３によって磁気ヘッド部２４を支持するようになされている。そしてメカデッキ１２は、ホルダ８にディスクカートリッジ１００（図２）が装填され楽曲データの記録を行う際には、スライド板１３（図３）を後方向へスライドさせることによって、磁気ヘッド部２４の支持を解除して当該磁気ヘッド部２４を下方向へ布勢させて磁気コア２４Ａをディスクカートリッジ１００の光磁気ディスク１０４に近接させるようになされている。
【００４２】
また光磁気記録ヘッドユニット２０（図５）は、オーバーライトヘッド２３のベース部２３Ａの後端から磁気ヘッド部２４の磁気コア２４Ａの中心までの前後長と、ジョイント２２の後端から光学ピックアップ２１のレンズ２１Ｌの中心までの前後長とがほぼ等しくなるようになされている。
【００４３】
光磁気記録ヘッドユニット２０は、組み立てられる際に、オーバーライトヘッド２３の位置合わせ孔２３Ａ３とジョイント２２の位置合わせ孔２２Ｃ３とを合わせて位置が粗決めされてから、光学ピックアップ２１のレンズ２１Ｌから照射されるレーザ光のスポット位置を磁気コア２４Ａの中心に一致させる（以下、このときのジョイント２２に対するオーバーライトヘッド２３の位置を適正位置と呼ぶ）ように調整され、ジョイント２２に対してオーバーライトヘッド２３が位置決めされる。
【００４４】
そして光磁気記録ヘッドユニット２０は、ジョイント２２に対してオーバーライトヘッド２３が位置決めされた状態を保持したまま、溶接によってオーバーライトヘッド２３のベース部２３Ａがジョイント２２の取付部２２Ｃに固着されるようになされている。
【００４５】
このためメカデッキ１２（図４）は、駆動モータ１４の駆動力を伝達して送りねじ軸１７を回転駆動させ、光学ピックアップ２１を含む光磁気記録ヘッドユニット２０を一体として左右方向に移動させたときでも、光学ピックアップ２１のレンズ２１Ｌと磁気ヘッド部２４の磁気コア２４Ａとの位置関係を保持し続けることができる。
【００４６】
そして当該光磁気記録ヘッドユニット２０が組み込まれたメカデッキ１２を搭載する光磁気ディスク装置１（図２）は、光学ピックアップ２１のレンズ２１Ｌから照射するレーザ光のスポット位置が常に磁気コア２４Ａの中心に一致されていることにより、ディスクカートリッジ１００の光磁気ディスク１０４上の所望の記録トラックに対して、楽曲データを常に正常に記録することができる。
【００４７】
（３）光磁気記録ヘッドユニット２０の組立手順
ところで光磁気ディスク装置１は、図示しない製造装置によって種々の部品が順次組み立てられる等して製造されるようになされている。
【００４８】
この製造装置は、光磁気ディスク装置１の製造過程において、メカデッキシャーシ１０（図３）に光磁気記録ヘッドユニット２０の各部品を順次組み込みながらメカデッキ１２を組み立てるようになされている。
【００４９】
このとき製造装置は、従来のねじ止めとは異なり、溶接によってオーバーライトヘッド２３をジョイント２２に取り付けるようになされている。以下では、光磁気記録ヘッドユニット２０を組み立てる際の光磁気記録ヘッドユニット組立手順について、図６のフローチャートを用いて説明する。
【００５０】
まず製造装置は準備段階として、所定の製造手順に従い、メカデッキシャーシ１０（図４）に駆動モータ１４等の各種部品を組み込み、ジョイント２２が取り付けられた光学ピックアップ２１の孔２１Ａ（図５）に回転ねじ軸１７を通した状態で、当該光学ピックアップ２１のスライド支持部２１Ｂをメカデッキシャーシ１０のガイドレール１０Ｄに対応させながら、当該メカデッキシャーシ１０に当該回転ねじ軸１７を組み込んでメカデッキ１２を製造していく。
【００５１】
これにより製造装置は、図７に示すように、メカデッキ１２に光学ピックアップ２１及びジョイント２２を組み込んだ状態とする。ここで製造装置はルーチンＲＴ１を開始し、開始ステップから入ってステップＳＰ１へ移る。
【００５２】
ステップＳＰ１において製造装置は、光学ピックアップ２１及びジョイント２２が組み込まれたものの、オーバーライトヘッド２３及び磁気ヘッド部２４がまだ組み込まれていない状態のメカデッキ１２（図７）を所定の調整治具（図示せず）にセットし、次のステップＳＰ２へ移る。
【００５３】
ちなみに製造装置は、ジョイント２２の取付部２２Ｃがほぼ水平となるようにメカデッキ１２を調整治具にセットするようになされている。
【００５４】
ステップＳＰ２において製造装置は、図８に示すように、オーバーライトヘッド２３の位置合わせ孔２３Ａ３及びジョイント２２の位置合わせ孔２２Ｃ３（図５）を目安とし、メカデッキ１２に組み込まれたジョイント２２上に、磁気ヘッド２４が予め取り付けられたオーバーライトヘッド２３を仮置きして、次のステップＳＰ３に移る。
【００５５】
ステップＳＰ３において製造装置は、調整治具によって光学ピックアップ２１のレンズ２１Ｌからレーザ光を照射させ、所定の位置検査治具（図示せず）を用いて、光学ピックアップ２１のレンズ２１Ｌから照射するレーザ光のスポット位置を磁気ヘッド部２４の磁気コア２４Ａの中心に一致させるようにオーバーライトヘッド２３を位置決めし、次のステップＳＰ４へ移る。
【００５６】
ステップＳＰ４において製造装置は、位置検査治具を用いてオーバーライトヘッド２３が適正位置にあるか否かを判定する。ここで否定結果が得られると、このことはオーバーライトヘッド２３が適正位置にないために、当該オーバーライトヘッド２３の位置を再度調整する必要があることを表しており、このとき製造装置は再度ステップＳＰ３へ戻る。
【００５７】
一方ステップＳＰ４において肯定結果が得られると、このことはオーバーライトヘッド２３が適正位置にあるために、この位置関係を保持したまま当該オーバーライトヘッド２３をジョイント２２に取り付けるべきであることを表しており、このとき製造装置は次のステップＳＰ５へ移る。
【００５８】
ステップＳＰ５において製造装置は、上面略Ｌ字状の電極５１（図８）をメカデッキ１２の後方からホルダ８とメカデッキシャーシ１０との隙間に差し込み、当該電極５１の上面５１Ａをジョイント２２の取付部２２Ｃの下面２２Ｃ２に当接させて、次のステップＳＰ６へ移る。
【００５９】
ステップＳＰ６において製造装置は、円柱形状の電極５２及び５３（図８）を垂直方向に下降させ、当該電極５２及び５３の下端面５２Ａ及び５３Ａをオーバーライトヘッド２３のベース部２３Ａの上面２３Ａ１に押し当てることによって、図９に示すように当該電極５２及び５３と電極５１とによってオーバーライトヘッド２３のベース部２３Ａとジョイント２２の取付部２２Ｃとを挟み込んで、次のステップＳＰ７へ移る。
【００６０】
ちなみに電極５１、５２及び５３は、銅素材でなり、電気抵抗を非常に小さく抑えられるようになされている。
【００６１】
ステップＳＰ７において製造装置は、ステップＳＰ４と同様に、電極５２及び５３をオーバーライトヘッド２３のベース部２３Ａに押し当てた後も当該オーバーライトヘッド２３が適正位置にあるか否かを判定する。ここで否定結果が得られると、このことは電極５２及び５３をオーバーライトヘッド２３のベース部２３Ａに押し当てたことによって当該オーバーライトヘッド２３の位置が変化してしまったために、当該オーバーライトヘッド２３を再度位置決めする必要があることを表しており、このとき製造装置は次のステップＳＰ８へ移る。
【００６２】
ステップＳＰ８において製造装置は、電極５２及び５３をオーバーライトヘッド２３のベース部２３Ａから離して元の位置（図８）に戻し、当該オーバーライトヘッド２３を再度位置決めするべく、ステップＳＰ３へ戻る。
【００６３】
一方ステップＳＰ７において肯定結果が得られると、このことはオーバーライトヘッド２３が適正位置にあるために、このまま当該オーバーライトヘッド２３とジョイント２２とを固着させるべきであることを表しており、このとき製造装置は、次のステップＳＰ９へ移る。
【００６４】
ステップＳＰ９において製造装置は、オーバーライトヘッド２３を適正位置に保った状態で、電極５２と電極５１との間、及び電極５３と電極５１との間に、それぞれ約３００［Ａ］の電流を０．０６秒間ずつ流す電気抵抗溶接を行うことにより、オーバーライトヘッド２３とジョイント２２とを固着させる。
【００６５】
このとき製造装置は、オーバーライトヘッド２３のベース部２３Ａ及びジョイント２２の取付部２２Ｃに対して実際に電流を流した部分、すなわち電極５２及び５３に応じた２箇所を溶接する。また各溶接箇所の形状は、電極５２及び５３の端面５２Ａ及び５３Ａの形状に応じて、それぞれ当該端面５２Ａ及び５３Ａとほぼ同じ大きさの円形となる。
【００６６】
その後製造装置は、電極５１、５２及び５３をそれぞれ元の位置に戻してから次のステップＳＰ１０へ移り、この光磁気記録ヘッドユニット組立手順ＲＴ１を終了する。
【００６７】
このように製造装置は、光学ピックアップ２１のレンズ２１Ｌから照射するレーザ光のスポット位置を磁気ヘッド部２４の磁気コア２４Ａの中心に一致させた状態を保ったまま、オーバーライトヘッド２３とジョイント２２とを電気抵抗溶接により固着させて光磁気記録ヘッドユニット２０を組み立てるようになされている。
【００６８】
なお製造装置は、この後所定の製造手順に従い、他の部品をメカデッキ１２へ取り付ける等することにより、光磁気ディスク装置１（図１）を完成させる。
【００６９】
（４）動作及び効果
以上の構成において、製造装置は、メカデッキ１２に光学ピックアップ２１及びジョイント２２を組み込み、磁気ヘッド部２４が予め取り付けられたオーバーライトヘッド２３を当該ジョイント２２上に仮置きし、当該光学ピックアップ２１のレンズ２１Ｌから照射したレーザ光のスポット位置が当該磁気ヘッド部２４の磁気コア２４Ａの中心に一致する適正位置に当該オーバーライトヘッド２３を位置決めする。
【００７０】
続いて製造装置は、電極５１の上面５１Ａをジョイント２２の取付部２２Ｃの下面２２Ｃ２に当接させると共に、電極５２及び５３を垂直方向に下降させて下端面５２Ａ及び５３Ａをオーバーライトヘッド２３のベース部２３Ａの上面２３Ａ１に押し当て、適正位置を保持したまま電極５２と電極５１との間、及び電極５３と電極５１との間に、それぞれ約３００［Ａ］の電流を０．０６秒間流すことにより、オーバーライトヘッド２３とジョイント２２とを電気抵抗溶接により固着させる。
【００７１】
従って製造装置は、オーバーライトヘッド２３を適正位置に位置決めしてから電気抵抗溶接を完了するまでの間に、当該オーバーライトヘッド２３に垂直方向の力のみを加えるようにしたことにより、当該オーバーライトヘッド２３を適正位置に保持したまま当該オーバーライトヘッド２３を当該ジョイント２２に固着させることができる。
【００７２】
この場合製造装置は、オーバーライトヘッド２３をジョイント２２に固着させる際にねじを使用しないため、当該ねじを締め付ける際のトルクによってオーバーライトヘッド２３を適正位置からずらしてしまうことを確実に防止することができる。特に製造装置は、ねじによってオーバーライトヘッド２３をジョイント２２に固定させる場合の、作業者の経験や勘に頼って、ねじを締め付ける際のトルクを考慮したずれ量だけオーバーライトヘッド２３をねじの回転方向と反対に予めずらしておくといった、当該作業者による不確実性を排除することができる。
【００７３】
また製造装置は、溶接によってオーバーライトヘッド２３をジョイント２２に固着させるので、オーバーライトヘッド２３のベース部２３Ａの上面２３Ａ１やジョイント２２の取付部２２Ｃの下面２２Ｃ２において、ねじの頭や有効ねじ部のような突出部を設けることがない。このため製造装置は、オーバーライトヘッド２３をジョイント２２にねじ止めした場合と比較して、光磁気記録ヘッドユニット２０を移動させるために必要な空間を小さくすることができ、メカデッキ１２を内蔵する光磁気ディスク装置１を一段と小型化することができる。
【００７４】
特に製造装置は、オーバーライトヘッド２３のジョイント２２への取り付け方法をねじ止めから溶接に切り換えた場合であっても、それぞれのねじ孔を位置合わせ孔２３Ａ３及び位置合わせ孔２２Ｃ３と見なすことにより、当該オーバーライトヘッド２３及び当該ジョイント２２にそれぞれ変更を加えることなくそのまま溶接することができる。
【００７５】
さらに製造装置は、溶接によってオーバーライトヘッド２３をジョイント２２に固着させるため、完成した光磁気ディスク装置１をユーザが誤って落下させる等して当該光磁気ディスク装置１に衝撃が加わった場合に、ねじが緩んで磁気コア２４Ａを適正位置からずらしてしまうといった問題を未然に防止することができる。
【００７６】
そのうえ製造装置は、電気抵抗溶接によってオーバーライトヘッド２３とジョイント２２とを固着させているため、火花を飛ばす危険性がほとんど無く、周辺の電子部品や回路等に損傷を与える可能性を極めて低く抑えることができる。
【００７７】
さらに製造装置は、電気抵抗溶接を行う際に、電極５２と電極５１との間、及び電極５３と電極５１との間の２回に分けてそれぞれ電流を流すようにしたことにより、例えば電極５２から電極５１を介して電極５３へ電流を直列に流して電気抵抗溶接を１回にまとめて行うようにした場合と比較して、各溶接箇所に必要な電流を確実に流すことができ、溶接箇所の強度を低下させることなく、オーバーライトヘッド２３とジョイント２２とを確実に固着させることができる。
【００７８】
そのうえ製造装置は、電気抵抗溶接を行う際に、１箇所毎に０．０６秒間という極めて短い時間だけ電流を流してオーバーライトヘッド２３とジョイント２２との固着処理を完了することができるので、ねじによって当該オーバーライトヘッド２３をジョイント２２に固定する場合と比較して、一段と作業時間を短縮することができる。
【００７９】
以上の構成によれば、製造装置は、光学ピックアップ２１に取り付けたジョイント２２に対して、磁気ヘッド２４部が予め取り付けられたオーバーライトヘッド２３を適正位置に位置決めし、当該オーバーライトヘッド２３を適正位置に保持したまま、オーバーライトヘッド２３及びジョイント２２を垂直方向に挟んだ電極５１と電極５２及び５３との間に電流を流して電気抵抗溶接を行うようにしたことにより、当該オーバーライトヘッド２３を適正位置に保持したまま当該オーバーライトヘッド２３を当該ジョイント２２に確実に固着させることができ、かくして光学ピックアップのレンズから照射するレーザ光のスポット位置がオーバーライトヘッドに取り付けられた磁気コアの中心に一致する適正な位置にオーバーライトヘッドを取り付けられかつ保持し得る光磁気記録ヘッドユニットを実現することができる。
【００８０】
（５）他の実施の形態
なお上述の実施の形態においては、電気抵抗溶接の際の溶接箇所を、電極５２と電極５１とに挟まれた箇所、及び電極５３と電極５１とに挟まれた箇所の２箇所とするようにした場合について述べたが、本発明はこれに限らず、電極５２及び５３と同様の電極を１つ又は３つ以上使用することにより溶接箇所を１箇所又は３箇所以上とするようにしても良く、さらに溶接箇所の形状、すなわち電極５２及び５３の端面形状を、円形以外の任意の形状とするようにしても良い。
【００８１】
また上述の実施の形態においては、電気抵抗溶接の際に流す電流を約３００［Ａ］、また時間を０．０６秒間とするようにした場合について述べたが、本発明はこれに限らず、電気抵抗溶接を実現できる範囲で、任意の電流及び時間とするようにしても良い。
【００８２】
さらに上述の実施の形態においては、光学ピックアップ２１及びジョイント２２をメカデッキ１２に組み込んでからオーバーライトヘッド２３を当該ジョイント２２に溶接するようにした場合について述べたが、本発明はこれに限らず、光学ピックアップ２１及びジョイント２２をメカデッキ１２に組み込まずに、所定の位置調整治具等を用いて、光学ピックアップ２１のレンズ２１Ｌから照射したレーザ光のスポット位置が当該磁気ヘッド２４の磁気コア２４Ａの中心に一致するようにオーバーライトヘッド２３を位置決めして当該オーバーライトヘッド２３をジョイント２２に溶接することにより、光磁気記録ヘッドユニット２０を単体で組み立てるようにしても良い。
【００８３】
さらに上述の実施の形態においては、電気抵抗溶接によってオーバーライトヘッド２３をジョイント２２に固着させるようにした場合について述べたが、本発明はこれに限らず、例えばガス溶接等の、他の種々の溶接手法を用いるようにしても良い。
【００８４】
さらに上述の実施の形態においては、電気抵抗溶接によってオーバーライトヘッド２３を当該ジョイント２２に固着させるようにした場合について述べたが、本発明はこれに限らず、例えば接着剤を用いてオーバーライトヘッド２３を当該ジョイント２２に固着させる等、他の種々の固着手段を用いるようにしても良い。
【００８５】
さらに上述の実施の形態においては、本発明をミニディスク方式に対応した光磁気記録ヘッドユニット２０の組立に適用するようにした場合について述べたが、本発明はこれに限らず、ＭＯ（Magneto Optical）ディスク等の他の種々の方式の光磁気記録ヘッドユニットの組立に適用するようにしても良い。
【００８６】
さらに上述の実施の形態においては、光学ピックアップ２１に取り付け固定されたジョイント２２にオーバーライトヘッド２３を固着させるようにした場合について述べたが、本発明はこれに限らず、当該光学ピックアップ２１に当該オーバーライトヘッド２３を直接固着させたり、あるいは他の種々の部品を介して当該光学ピックアップ２１に当該オーバーライトヘッド２３を固着させる等しても良く、要は当該光学ピックアップ２１と当該当該オーバーライトヘッド２３とが直接的又は間接的に固着されればよい。
【産業上の利用可能性】
【００８７】
本発明は、ミニディスクに対応した光磁気記録ヘッドユニット以外にも、ＭＯ（Magneto Optical）ディスク等の種々の光磁気ディスクに対応した光磁気記録ヘッドユニットでも利用できる。
【図面の簡単な説明】
【００８８】
【図１】本発明の光磁気記録ヘッドユニットを有する光磁気ディスク装置の全体構成を示す略線的斜視図である。
【図２】光磁気ディスク装置にディスクカートリッジが装填される様子を示す略線的斜視図である。
【図３】メカデッキの構成（１）を示す略線的斜視図である。
【図４】メカデッキの構成（２）を示す略線的斜視図である。
【図５】光磁気記録ヘッドユニットの構成を示す略線的斜視図である。
【図６】光磁気記録ヘッドユニット組立手順を示すフローチャートである。
【図７】光磁気記録ヘッドユニットの組立（１）の説明に供する略線的斜視図である。
【図８】光磁気記録ヘッドユニットの組立（２）の説明に供する略線的斜視図である。
【図９】光磁気記録ヘッドユニットの組立（３）の説明に供する略線的斜視図である。
【図１０】従来の光磁気記録ヘッドユニットの構成を示す略線的斜視図である。
【符号の説明】
【００８９】
１……光磁気ディスク装置、８……ホルダ、１０……メカデッキシャーシ、１２……メカデッキ、１４……駆動モータ、１７……送りねじ軸、２０、７０……ヘッドユニット、２１……光学ピックアップ、２１Ｌ……レンズ、２２……ジョイント、２３……オーバーライトヘッド、２４……磁気ヘッド部、２４Ａ……磁気コア、５１、５２、５３……電極。
【図１】
2006018896.tif 000003
【図２】
2006018896.tif 000004
【図３】
2006018896.tif 000005
【図４】
2006018896.tif 000006
【図５】
2006018896.tif 000007
【図６】
2006018896.tif 000008
【図７】
2006018896.tif 000009
【図８】
2006018896.tif 000010
【図９】
2006018896.tif 000011
【図１０】
2006018896.tif 000012